(57)【要約】      （修正有）【課題】ケーブル部分に加えた力によって嵌合されたコネクタが周方向に相対的に回転してしまわないようにするコネクタ抜け防止具を提供する。【解決手段】第１コネクタはケーブル側の端に特定の方向の径が短い短径部を有する円柱状の形状であり、第２コネクタは外周部の周方向に凹凸を有する。コネクタ抜け防止具は、第１コネクタ固定部３１０、第２コネクタ固定部３２０、連結部３３０を備える。第１コネクタ固定部は、短径部の径とほぼ一致する幅のスリット３１１を有する。第２コネクタ固定部は、第１コネクタと第２コネクタとが抜けにくい状態のときの前記凹凸に対応した凸部３２１、３２２または凹部を有する。第１コネクタと第２コネクタとを挿入後に周方向に相対的に回転させると、短径部がスリットに嵌り、凹凸が凸部または凹部に嵌る。コネクタは周方向に回転できなくなり、抜けを防止できる。【選択図】図４
0003218791.tif 000002
【実用新案登録請求の範囲】
【請求項１】
第１コネクタはケーブル側の端に特定の方向の径が短い短径部を有する円柱状の形状であり、第２コネクタは外周部の周方向に凹凸を有し、挿抜可能であり、挿入した後に周方向に相対的に回転させることで抜けにくい状態になる前記第１コネクタと前記第２コネクタとが抜けることを防止するコネクタ抜け防止具であって、
前記短径部の径とほぼ一致する幅のスリットを有する第１コネクタ固定部と、
前記第１コネクタと前記第２コネクタとが抜けにくい状態のときの前記凹凸に対応した凸部または凹部を有する第２コネクタ固定部と、
前記第１コネクタ固定部と前記第２コネクタ固定部とを連結する連結部と、
を備えたコネクタ抜け防止具。
【請求項２】
請求項１記載のコネクタ抜け防止具であって、
前記凹凸は、窪みであり、
前記第２コネクタ固定部は、前記窪みに嵌る凸部を有す
ことを特徴とするコネクタ抜け防止具。
【請求項３】
請求項２記載のコネクタ抜け防止具であって、
前記凸部の近傍に、前記凸部を前記窪みから外すための解除片も有す
ことを特徴とするコネクタ抜け防止具。
【考案の詳細な説明】
【技術分野】
【０００１】
本考案は、コネクタの抜け防止具に関する。
【背景技術】
【０００２】
特許文献１には、コネクタとは別体の治具によりコネクタ同士が離れないようにすることで抜けを防止する方法が示されている。特許文献２，３にはプラグをソケットに挿入後、周方向に相対的に逆回転させる技術が示されている。特に特許文献３には、相対的に回転させることで抜け防止を図る技術が示されている。特許文献４にはコネクタが抜け防止具を備える例が示されている。
【先行技術文献】
【特許文献】
【０００３】
【特許文献１】特開平１０−２７６５１号公報
【特許文献２】特開昭５９−１７３９８２号公報
【特許文献３】特開平９−６０７８２号公報
【特許文献４】特開２００７−１０３０４６号公報
【考案の概要】
【考案が解決しようとする課題】
【０００４】
しかしながら、特許文献１の技術は、別体の治具の取り付けに時間がかかるという課題がある。特許文献４の技術の場合、コネクタに必ず抜け防止具を具備することになり、コネクタが高価になりやすい。特許文献２，３の技術の場合、ケーブル部分を移動させるなどの行為によってコネクタに周方向の力が加わると、プラグがソケットから抜ける方向に相対的に回転してしまうことがある。
【０００５】
本考案は、ケーブル部分に加えた力によって嵌合されたコネクタが周方向に相対的に回転してしまわないようにすることで、コネクタの抜けを防止する技術を提供することを目的とする。
【課題を解決するための手段】
【０００６】
本考案のコネクタ抜け防止具は、挿抜可能であり、挿入した後に周方向に相対的に回転させることで抜けにくい状態になる第１コネクタと第２コネクタとが抜けることを防止する。第１コネクタはケーブル側の端に特定の方向の径が短い短径部を有する円柱状の形状である。第２コネクタは外周部の周方向に凹凸を有する。本考案のコネクタ抜け防止具は、第１コネクタ固定部、第２コネクタ固定部、連結部を備える。第１コネクタ固定部は、短径部の径とほぼ一致する幅のスリットを有する。第２コネクタ固定部は、第１コネクタと第２コネクタとが抜けにくい状態のときの前記凹凸に対応した凸部または凹部を有する。連結部は、第１コネクタ固定部と第２コネクタ固定部とを連結する。
【考案の効果】
【０００７】
本考案のコネクタ抜け防止具によれば、第１コネクタと第２コネクタとを挿入後に周方向に相対的に回転させた状態のときに、第１コネクタの短径部が第１コネクタ固定部のスリットに嵌り、第２コネクタの凹凸が第２コネクタ固定部の凸部または凹部に嵌る。したがって、コネクタ抜け防止具を取り付けた状態では、第１コネクタと第２コネクタは周方向に相対的に回転させることができなくなる。したがって、コネクタの抜けを防止できる。
【図面の簡単な説明】
【０００８】
【図１】第１コネクタの例を示す図。
【図２】第２コネクタの例を示す図。
【図３】第１コネクタと第２コネクタの嵌合の様子を示す図。
【図４】本考案のコネクタ抜け防止具の形状の例を示す図。
【図５】コネクタ抜け防止具を取り付ける様子を示す図。
【図６】コネクタ抜け防止具の変形例を示す図。
【考案を実施するための形態】
【０００９】
以下、本考案の実施の形態について、詳細に説明する。なお、同じ機能を有する構成部には同じ番号を付し、重複説明を省略する。
【実施例１】
【００１０】
図１に第１コネクタの例を示す。図１（Ａ）は左側面図、図１（Ｂ）は正面図、図１（Ｃ）は右側面図、図１（Ｄ）は底面図である。第１コネクタ１００は、円柱状の形状のボディ１１０、プラグ１２１〜１２３、ボディ１１０と一体であるケーブル固定部１５１、ボディ１１０とは別体のケーブル固定部１５２を備える。ケーブル固定部１５１，１５２は、ケーブル９１０を挟み、ネジなどによって固定することでケーブル９１０を固定する。図示していないが、ケーブル９１０内の心線はボディ１１０の内部でプラグ１２１〜１２３に接続される。図１は、ケーブル固定部１５１，１５２がネジなどで固定された状態を示しており、図１（Ｃ）に示すように、ケーブル固定部１５１，１５２がネジなどで固定された状態のときに縦方向が短くなっている。つまり、第１コネクタ１００はケーブル側の端に特定の方向の径が短い短径部を有している。図１の例の場合、ケーブル固定部１５１，１５２が短径部に相当するが、本考案にとっては、第１コネクタのケーブル側の端に短径部があれば、ケーブルを固定する部分でなくてもよい。
【００１１】
図２の第２コネクタの例を示す。図２（Ａ）は左側面図、図２（Ｂ）は正面図、図２（Ｃ）は右側面図、図２（Ｄ）は底面図である。第２コネクタ２００は、ボディ２１０、ソケット２２１〜２２３、ボディ２１０と一体であるケーブル固定部２５１、ボディ２１０とは別体のケーブル固定部２５２、窪み２１１，２１２を備える。ケーブル固定部２５１，２５２は、ケーブル９２０を挟み、ネジなどによって固定することでケーブル９２０を固定する。図示していないが、ケーブル９２０内の心線はボディ２１０の内部でソケット２２１〜２２３内の金属片に接続される。図２は、ケーブル固定部２５１，２５２がネジなどで固定された状態を示している。第２コネクタ２００は、ボディ２１０の外周部の円周方向に凹凸を備えればよい。図２の例では、凹凸として窪み２１１，２１２を有しているが、必ずしも窪みである必要はなく、突起でもよい。図２の例では、窪みは第１コネクタ側の端にある。ただし、端にある方が望ましいが、必ずしも端にある必要はない。また、第２コネクタ２００は、円柱状でなくてもよい。
【００１２】
図３は、第１コネクタと第２コネクタの嵌合の様子を示す図である。図３（Ａ）は第１コネクタと第２コネクタとが離れた状態を示し、図３（Ｂ）は第１コネクタのプラグが第２コネクタのソケットに挿入されている途中の状態を示し、図３（Ｃ）は第１コネクタが第２コネクタに挿入された状態を示し、図３（Ｄ）は周方向に相対的に回転した状態を示している。第１コネクタ１００と第２コネクタ２００は、挿抜可能であり、挿入した後に周方向に相対的に回転させることで抜けにくい状態になる。つまり、図３（Ｄ）の状態であれば第１コネクタ１００が第２コネクタ２００から抜けることはない。
【００１３】
課題で示したように、第１コネクタ１００と第２コネクタ２００とが図３（Ｄ）の状態で接続されているときに、ケーブル９１０，９２０を移動させることがある。このようにケーブル９１０，９２０に力を加えると、第１コネクタ１００と第２コネクタ２００にも力が加わることがあり、まれに周方向に相対的に回転させる力が加わってしまい、図３（Ｃ）の状態になることがある。この状態のときに、さらに第１コネクタ１００を第２コネクタ２００から抜く方向の力が加わると、第１コネクタ１００が第２コネクタから抜けてしまうことがある。
【００１４】
図４は、本考案のコネクタ抜け防止具の形状の例を示す図である。図４（Ａ）は平面図、図４（Ｂ）は左側面図、図４（Ｃ）は正面図、図４（Ｄ）は右側面図、図４（Ｅ）は底面図、図４（Ｆ）は背面図である。図５は、コネクタ抜け防止具を取り付ける様子を示す図である。図５（Ａ）は取り付ける前を示す図であり、図５（Ｂ）は取り付け後を示す図である。コネクタ抜け防止具３００は、第１コネクタ固定部３１０、第２コネクタ固定部３２０、連結部３３０を備える。
【００１５】
第１コネクタ固定部３１０は、第１コネクタ１００の短径部の径とほぼ一致する幅のスリット３１１を有する。「ほぼ一致する」とは、スリット３１１の材質や厚さも考慮した上で少し小さくしてもよいし、少し大きくしてもよい。スリット３１１の目的は、第１コネクタ固定部３１０に周方向に回転する力が加わっても、第１コネクタ１００に対して相対的に回転しないことである。また、スリット３１１の幅が狭すぎると、コネクタ抜け防止具３００を取り付けにくくなってしまう。したがって、「ほぼ一致する」は、コネクタ抜け防止具３００が第１コネクタ１００に対して相対的に回転してしまわない範囲であり、かつ、取り付けに支障のない範囲を意味している。
【００１６】
第２コネクタ固定部３２０は、第１コネクタ１００と第２コネクタ２００とが図３（Ｄ）の状態で、コネクタ抜け防止具３００を取り付けたときに第２コネクタ２００の外周部分を覆う部分を含む。図４の例では、図４（Ｃ）の点線で囲んだあたりである。第２コネクタ固定部３２０は、第１コネクタと第２コネクタとが抜けにくい状態のとき（図３（Ｄ）の状態のとき）の第２コネクタ２００の外周の凹凸に対応した凸部または凹部を有する。図４の例は、凸部３２１，３２２を備えている。凸部３２１は窪み２１１に嵌り、凸部３２２は窪み２１２に嵌る。そして、第２コネクタ固定部３２０は、コネクタ抜け防止具３００が第２コネクタ２００に対して相対的に回転してしまわないようにする。また、凸部３２１，３２２が窪み２１１，２１２に嵌ることで、取り付けたコネクタ抜け防止具３００が第１コネクタ１００、第２コネクタ２００から外れないようにできる。図４の例では２つの凸部３２１，３２２を示しているが、第２コネクタ２００が相対的に回転してしまわないため、かつ、凸部が窪みから外れないようにするために、より多くの凸部を設けてもよい。また、１つでも十分であれば、凸部は１つでもよい。なお、第２コネクタが凸部を有しているのであれば、第２コネクタ固定部３２０は、その凸部が嵌る穴を備えればよい。
【００１７】
連結部３３０は、第１コネクタ固定部３１０と第２コネクタ固定部３２０とを連結する。連結部３３０は、コネクタ抜け防止具３００の取り付けに邪魔にならない範囲で、第１コネクタ１００を覆うような構造が望ましい。連結部３３０に捻じれるなどの変形が生じると、コネクタ抜け防止具３００が外れてしまう、第１コネクタ１００と第２コネクタ２００とが相対的に回転してしまうなどのリスクが高くなるからである。また、このリスクを下げるために必要な硬さを持つように、材質と厚さなども決めればよい。
【００１８】
コネクタ抜け防止具３００によれば、第１コネクタ１００と第２コネクタ２００とを挿入後に周方向に相対的に回転させた状態のときに、第１コネクタ１００の短径部が第１コネクタ固定部３１０のスリットに嵌り、第２コネクタ２００の凹凸が第２コネクタ固定部３２０の凸部または凹部に嵌る。したがって、コネクタ抜け防止具３００を取り付けた状態では、第１コネクタ１００と第２コネクタ２００は周方向に相対的に回転させることができなくなる。したがって、コネクタの抜けを防止できる。また、図５に示したように、第１コネクタ１００側から押し込めば、簡単に取り付けることができる。
【００１９】
図６は、コネクタ抜け防止具の変形例を示す図である。コネクタ抜け防止具３０１は、コネクタ抜け防止具３００に加え、凸部３２１の近傍に、凸部３２１を窪み２１１から外すための解除片３３５も備える。解除片３３５があれば、作業者がコネクタ抜け防止具３０１を取り外そうとするときに、容易に取り外すことができる。
【符号の説明】
【００２０】
１００  第１コネクタ                  １２１，１２２，１２３  プラグ
１１０  ボディ                        １５１，１５２  ケーブル固定部
２００  第２コネクタ                  ２１０  ボディ
２２１，２２２，２２３  ソケット      ２５１，２５２  ケーブル固定部
３００，３０１  コネクタ抜け防止具    ３１０  第１コネクタ固定部
３１１  スリット                      ３２０  第２コネクタ固定部
３２１，３２２  凸部                  ３３０  連結部
３３５  解除片                        ９１０，９２０  ケーブル
【図１】
0003218791.tif 000003
【図２】
0003218791.tif 000004
【図３】
0003218791.tif 000005
【図４】
0003218791.tif 000006
【図５】
0003218791.tif 000007
【図６】
0003218791.tif 000008